(57)【要約】【課題】３つ以上の光源を時分割で切り替えて点灯させる点灯装置において、突入電流を抑制する。【解決手段】同じ電流が流れたときの電圧降下が互いに異なる３つ以上の光源３〜６を有する光源ユニットを点灯させる点灯装置２である。点灯装置２は、出力される直流電力を調整する出力調整回路１２、前記光源それぞれに１対１で直列接続されて直列負荷回路３０〜６０を形成する光源スイッチＱ３〜Ｑ６、前記光源それぞれに流す電流を制御する制御処理部ＩＣ２を有する。前記直列負荷回路の各々は出力調整回路１２の出力端に並列に接続され、制御処理部ＩＣ２は、オン期間が互いに重複しないように所定の繰り返し順番に従って前記光源スイッチのオンオフを切り替える。前記所定の繰り返し順番において前記光源のうちの電圧降下が最大の光源に接続された光源スイッチの次にオンされるのは、電圧降下が最小の光源に接続された光源スイッチ以外の光源スイッチである。【選択図】図３
2015103504.tif 000002
【特許請求の範囲】
【請求項１】
同じ電流が流れたときの電圧降下が互いに異なる３つ以上の光源を有する光源ユニットを点灯させる点灯装置であって、
出力される直流電力を調整する出力調整回路と、
前記３つ以上の光源それぞれに１対１の関係で直列接続されて直列負荷回路を形成する３つ以上の光源スイッチと、
前記３つ以上の光源それぞれに流す電流を制御する制御処理部と、を有し、
前記直列負荷回路の各々は、前記出力調整回路の出力端に並列に接続され、
前記制御処理部は、前記３つ以上の光源スイッチのオン期間が互いに重複しないように所定の繰り返し順番に従って前記３つ以上の光源スイッチのオンオフを切り替え、
前記所定の繰り返し順番において、前記３つ以上の光源のうちの前記電圧降下が最大の光源に接続された前記光源スイッチの次にオンされるのは、前記電圧降下が最小の光源に接続された前記光源スイッチ以外の前記光源スイッチである
点灯装置。
【請求項２】
前記所定の繰り返し順番において、前記３つ以上の光源のうちの前記電圧降下が最小の光源に接続された前記光源スイッチの次にオンされるのは、前記電圧降下が最大の前記光源に接続された前記光源スイッチである
請求項１に記載の点灯装置。
【請求項３】
前記制御処理部は、前記３つ以上の光源スイッチそれぞれのオン期間の長さを調整する
請求項１または２に記載の点灯装置。
【請求項４】
直流電源回路をさらに有し、
前記出力調整回路は、前記直流電源回路の出力端に接続されたチョッピングスイッチを有し、
前記制御処理部は、前記チョッピングスイッチを繰り返しオンオフするチョッピング動作によって前記出力調整回路から出力される電流を調整する
請求項１から３の何れか１項に記載の点灯装置。
【請求項５】
前記制御処理部は、前記３つ以上の光源スイッチそれぞれの前記オン期間における前記チョッピング動作の動作期間の長さを調整する
請求項４に記載の点灯装置。
【請求項６】
前記制御処理部は、前記所定の繰り返し順番において、前記切り替え後の前記光源スイッチが接続されている前記光源の前記電圧降下が、前記切り替え前の前記光源スイッチが接続されている前記光源の前記電圧降下よりも小さくなる前記切り替えに先立って、第１の期間、前記チョッピングスイッチをオフして前記チョッピング動作を休止させ、当該切り替えと共に前記チョッピングスイッチに対して前記チョッピング動作を再開させる
請求項４または５に記載の点灯装置。
【請求項７】
前記制御処理部は、前記所定の繰り返し順番において、前記切り替え後の前記光源スイッチが接続されている前記光源の前記電圧降下が、前記切り替え前の前記光源スイッチに接続されている前記光源の前記電圧降下よりも大きくなる前記切り替えに先立って、前記第１の期間よりも短い第２の期間、前記チョッピング動作を休止させ、当該切り替えと共に前記チョッピングスイッチに対して前記チョッピング動作を再開させる
請求項６に記載の点灯装置。
【請求項８】
前記制御処理部は、前記所定の繰り返し順番において、前記切り替え後の前記光源スイッチが接続されている前記光源の前記電圧降下が、前記切り替え前の前記光源スイッチが接続されている前記光源の前記電圧降下よりも大きくなる前記切り替えに先立って、前記チョッピング動作を休止させない
請求項６に記載の点灯装置。
【請求項９】
前記出力調整回路の出力端に、前記３つ以上の直列負荷回路と並列にインピーダンス素子が接続されている
請求項１から８の何れか１項に記載の点灯装置。
【請求項１０】
前記電圧降下が互いに異なる３つ以上の光源は、発光色が互いに異なる
請求項１から９の何れか１項に記載の点灯装置。
【請求項１１】
同じ電流が流れたときの電圧降下が互いに異なる３つ以上の光源と、
請求項１から１０の何れか１項に記載の点灯装置とを有する
照明器具。
【発明の詳細な説明】
【技術分野】
【０００１】
本発明は、点灯装置およびそれを有する照明器具に関し、特に、同じ大きさの電流が流れたときの電圧降下の大きさが異なる３つ以上の光源を点灯させる点灯装置およびそれを有する照明器具に関する。
【背景技術】
【０００２】
近年、緑色光、青色光、赤色光など発光色が互いに異なる複数のＬＥＤ（Ｌｉｇｈｔ  Ｅｍｉｔｔｉｎｇ  Ｄｉｏｄｅ）等の半導体発光素子群を有する光源ユニットと、当該光源ユニットを点灯させる点灯装置を備えた照明器具が利用されている。
また、このような照明器具においては、各色のＬＥＤ群から出射される光の強度をそれぞれ調整することにより、出射される光の混合光の色度あるいは強度を調整できるようになっているものもある。
【０００３】
このような照明器具の点灯装置としては、直流電源と、各ＬＥＤ群に対して直列に設けられた複数の定電流回路とを備え、定電流回路のスイッチング素子をＰＷＭ（Ｐｕｌｓｅ  Ｗｉｄｔｈ  Ｍｏｄｕｌａｔｉｏｎ）方式でオンデューティ比を調整して、各ＬＥＤ群の電流を調整するものが知られている。
一方、特許文献１に開示されているように、色温度の異なる２つのＬＥＤ群にスイッチング素子を接続し、デューティ比を調整しながら、一定の周期で時分割で交互に点滅させて各色ＬＥＤ群から出射される光量を調整し、２つのＬＥＤ群からの混合色として出射される発光色の色温度を調整する技術も知られている。このような方式の場合、ＬＥＤ群ごとに定電流回路を設ける必要が無いので、点灯装置における回路の小型化や低コスト化を図ることができる。
【先行技術文献】
【特許文献】
【０００４】
【特許文献１】特開２０１１−２５８５１７号公報
【発明の概要】
【発明が解決しようとする課題】
【０００５】
しかしながら、発光色が異なると層構造や材料が異なるため、同じ値の電流が流れたときの電圧降下の大きさがそれぞれ異なる。そのため、特許文献１の方式の場合、電力を供給するＬＥＤ群を順に切り替える時に、ＯＮに切り替わったＬＥＤ群に対して過大な突入電流が流れる場合がある。過大な突入電流が生じると、ＬＥＤやスイッチング素子にダメージやストレスが加わることがあり、点灯装置や照明器具の寿命が短くなる原因ともなる。
【０００６】
本発明は、上記課題に鑑み、電圧降下が互いに異なる３つ以上の光源を時分割で切り替えて点灯させる方式において、光源に過大な電流が流れるのを抑制することができる点灯装置および照明器具を提供することを目的とする。
【課題を解決するための手段】
【０００７】
上記目的を達成するために、本発明の一態様に係る点灯装置は、同じ電流が流れたときの電圧降下が互いに異なる３つ以上の光源を有する光源ユニットを点灯させる点灯装置である。当該点灯装置は、出力される直流電力を調整する出力調整回路、前記３つ以上の光源それぞれに１対１の関係で直列接続されて直列負荷回路を形成する３つ以上の光源スイッチ、および前記３つ以上の光源それぞれに流す電流を制御する制御処理部を有する。前記直列負荷回路の各々は、前記出力調整回路の出力端に並列に接続されている。制御処理部は、前記３つ以上の光源スイッチのオン期間が互いに重複しないように所定の繰り返し順番に従って前記３つ以上の光源スイッチのオンオフを切り替える。ここで、前記所定の繰り返し順番において、前記３つ以上の光源のうちの電圧降下が最大の光源に接続された光源スイッチの次にオンされるのは、電圧降下が最小の光源に接続された光源スイッチ以外の光源スイッチである。
【０００８】
また、別の態様では、前記所定の繰り返し順番において、前記３つ以上の光源のうちの電圧降下が最小の光源に接続された光源スイッチの次にオンされるのは、電圧降下が最大の光源に接続された光源スイッチであってもよい。
また、別の態様では、前記制御処理部は、前記３つ以上の光源スイッチそれぞれのオン期間の長さを調整してもよい。
【０００９】
また、別の態様では、点灯装置は、直流電源回路をさらに有し、前記出力調整回路は、前記直流電源回路の出力端に接続されたチョッピングスイッチを有してもよい。そして、前記制御処理部は、前記チョッピングスイッチを繰り返しオンオフするチョッピング動作によって前記出力調整回路から出力される電流を調整してもよい。
また、別の態様では、前記制御処理部は、前記３つ以上の光源スイッチそれぞれの前記オン期間における前記チョッピング動作の動作期間の長さを調整してもよい。
【００１０】
また、別の態様では、前記制御処理部は、前記所定の繰り返し順番において、次のようにしてもよい。即ち、切り替え後の光源スイッチが接続されている光源の電圧降下が、切り替え前の光源スイッチが接続されている光源の電圧降下よりも小さくなる切り替えに先立って、第１の期間、前記チョッピングスイッチをオフしてチョッピング動作を休止させてもよい。そして、切り替えと共にチョッピングスイッチに対してチョッピング動作を再開させてもよい。
【００１１】
また、別の態様では、前記制御処理部は、前記所定の繰り返し順番において、次のようにしてもよい。即ち、切り替え後の光源スイッチが接続されている光源の電圧降下が、切り替え前の光源スイッチに接続されている光源の電圧降下よりも大きくなる切り替えに先立って、第１の期間よりも短い第２の期間、チョッピング動作を休止させてもよい。そして、切り替えと共にチョッピングスイッチに対してチョッピング動作を再開させてもよい。
【００１２】
また、別の態様では、前記制御処理部は、前記所定の繰り返し順番において、次のようにしてもよい。即ち、切り替え後の光源スイッチが接続されている光源の電圧降下が、切り替え前の光源スイッチが接続されている光源の電圧降下よりも大きくなる切り替えに先立って、チョッピング動作を休止させなくてもよい。
また、別の態様では、前記出力調整回路の出力端に、前記３つ以上の直列負荷回路と並列にインピーダンス素子が接続されていてもよい。
【００１３】
また、別の態様では、前記電圧降下が互いに異なる３つ以上の光源は、発光色が互いに異なっていてもよい。
また、本発明の別の一態様に係る照明器具は、同じ電流が流れたときの電圧降下が互いに異なる３つ以上の光源と、上記何れかの特徴を備える点灯装置とを有する。
【発明の効果】
【００１４】
本発明の一態様に係る点灯装置の構成によれば、３つ以上の光源の組み合わせのうち、光源スイッチの切り替え前後で光源の電圧降下が大きいものから小さいものへと切り替わり、且つ光源の電圧降下の差が最大となる組み合わせを避けることができる。これにより、発生し得る最大の突入電流を回避して、過大な突入電流の発生を抑制することができる。その結果、光源および光源スイッチへのダメージおよびストレスを軽減して点灯装置の長寿命化を図ることができる。
【００１５】
また、本発明の別の一態様に係る照明器具の構成によっても、上記と同様の効果を得ることができる。
【図面の簡単な説明】
【００１６】
【図１】実施形態１に係る点灯装置および照明器具の回路図である。
【図２】図１に示した制御処理部の動作を示すフローチャートである。
【図３】実施形態１に係る点灯装置および照明器具における動作を説明するためのタイミングチャートである。
【図４】実施形態１に係る点灯装置および照明器具の動作における各種制御パラメータ値のテーブルの一例を示す図である。
【図５】突入電流を説明するための比較例のタイミングチャートである。
【図６】実施形態２に係る点灯装置および照明器具における動作を説明するためのタイミングチャートである。
【図７】実施形態３に係る点灯装置および照明器具における動作を説明するためのタイミングチャートである。
【図８】実施形態４に係る点灯装置および照明器具における動作を説明するためのタイミングチャートである。
【図９】変形例１に係る点灯装置および照明器具の回路図である。
【図１０】変形例１に係る点灯装置および照明器具の動作における各種制御パラメータ値のテーブルの一例を示す図である。
【図１１】変形例２に係る点灯装置および照明器具の回路図である。
【図１２】変形例３に係る点灯装置および照明器具の電流制御における動作を説明するためのタイミングチャートである。
【図１３】（ａ）は、本発明の点灯装置および照明器具がダウンライトに適用された場合の一例を示す外観斜視図である。（ｂ）は、本発明の点灯装置および照明器具がスポットライトに適用された場合の一例を示す外観斜視図である。（ｃ）は、本発明の点灯装置および照明器具がスポットライトに適用された場合の別の一例を示す外観斜視図である。
【発明を実施するための形態】
【００１７】
以下、本発明を実施するための形態を、図面を参照して説明する。
≪実施形態１≫
本発明の実施形態１に係る照明器具１００について、図１，図２，図３，図４を参照しながら説明する。なお、本実施形態では、光源としてＬＥＤを用いた場合を例に説明する。
【００１８】
［１．照明器具１００の全体構成］
図１は、実施の形態１に係る照明器具１００の回路図である。図１に示すように、照明器具１００は、発光色が異なる３つ以上（本実施形態では４つ）のＬＥＤ群３，４，５，６を有する光源ユニット１と、光源ユニット１を駆動する点灯装置２とを備える。ＬＥＤ群３，４，５，６の発光色は、例えば、それぞれ赤（Ｒ），緑（Ｇ），青（Ｂ），白（Ｗ）とする。
【００１９】
図１においては、ＬＥＤ群３，４，５，６は、それぞれ複数のＬＥＤを有しているが、これに限られず、各ＬＥＤ群がそれぞれＬＥＤを１個ずつ有していてもよい。
点灯装置２は、人間の視覚では点滅が視認できない程度の高速で、ＬＥＤ群３，４，５，６を１つずつ順繰りに点灯させる。それによって、ＬＥＤ群３，４，５，６からの光が混合された混合光が光源ユニット１から出射される。ここでＬＥＤ群３，４，５，６を点灯させる際に、各ＬＥＤ群の光量を調整することによって、混合光の色度を調整できるようになっている。
【００２０】
点灯装置２は、光源ユニット１のＬＥＤ群３，４，５，６のそれぞれに１対１の関係で直列に接続された３つ以上（本実施形態では４つ）のスイッチング素子である光源スイッチＱ３，Ｑ４，Ｑ５，Ｑ６、光源ユニット１に対して直流電力を出力する電源ユニット１０と、これらを制御する制御部２０を備える。
ここで、ＬＥＤ群３と光源スイッチＱ３とが直列に接続されたものを直列負荷回路３０とする。同様に、ＬＥＤ群４と光源スイッチＱ４とが直列に接続されたものを直列負荷回路４０、ＬＥＤ群５と光源スイッチＱ５とが直列に接続されたものを直列負荷回路５０、ＬＥＤ群６と光源スイッチＱ６とが直列に接続されたものを直列負荷回路６０とする。
【００２１】
この４つの直列負荷回路３０、４０、５０、６０は、出力調整回路１２の出力端に互いに並列に接続されている。
電源ユニット１０は、全波整流回路１１ａ及び平滑回路１１ｂから構成される直流電源回路１１と、直流電源回路１１からの出力を調整して光源ユニット１に供給する出力調整回路１２と備える。そして、この出力調整回路１２の出力側に、ＬＥＤ群と光源スイッチからなる４つの直列負荷回路３０、４０、５０、６０が互いに並列に接続されている。
【００２２】
出力調整回路１２には、電流経路をオンオフするスイッチング素子（チョッピングスイッチ）Ｑ２、スイッチング素子Ｑ２のオンオフを制御して一定の電流を出力するための半導体素子ＩＣ１、電流検出回路１３が設けられている。
制御部２０は、様々な制御処理を実行するマイコンである制御処理部ＩＣ２、外部からの調光調色信号と各種制御パラメータ値（データ）とが対応付けられたテーブルＴ１等が格納されたＲＯＭ（Ｒｅａｄ  Ｏｎｌｙ  Ｍｅｍｏｒｙ）などを有する。なお、図１においては、ＲＯＭはテーブルＴ１として表示している。
【００２３】
制御部２０（より正確には、制御処理部ＩＣ２）は、発光色および／または光強度（明るさ）を指定する調光調色信号が入力されると、その調光調色信号データを基にテーブルＴ１を参照し、出力調整回路１２における半導体素子ＩＣ１の制御、並びに光源スイッチＱ３，Ｑ４，Ｑ５，Ｑ６を順番にオンさせる動作を繰り返し周期的に行う。
それによって、光源ユニット１では、ＬＥＤ群３，ＬＥＤ群４，ＬＥＤ群５，ＬＥＤ群６は、順番に点灯する動作を周期的に繰り返し、入力された調光調色信号に相当する色の合成光を出射する。
【００２４】
［２．各部構成］
以下、光源ユニット１、電源ユニット１０、光源スイッチＱ３，Ｑ４，Ｑ５，Ｑ６、制御部２０の具体的な構成例を説明する。
（光源ユニット１）
上述したように、ＬＥＤ群３，４，５，６を構成する各ＬＥＤは、発光色ごとに層構造や材料が違うため、同じ値の電流が流れたときの電圧降下の大きさがそれぞれ異なる。ここでは、ＬＥＤ群３の電圧降下の大きさをＶ３、ＬＥＤ群４の電圧降下の大きさをＶ４、ＬＥＤ群５の電圧降下の大きさをＶ５、ＬＥＤ群６の電圧降下の大きさをＶ６とし、Ｖ６＜Ｖ５＜Ｖ４＜Ｖ３とする。
【００２５】
各ＬＥＤは、熱伝導性を考慮して一面に絶縁層で積層された金属材料をベース板とした基板に実装されている。あるいは、放熱特性が比較的良好で耐久性に優れたセラミックス材料や合成樹脂材料をベース板とした基板などに実装してもよい。
各色のＬＥＤは、ＬＥＤのベアチップがパッケージングされた表面実装（ＳＭＤ：Ｓｕｒｆａｃｅ  Ｍｏｕｎｔ  Ｄｅｖｉｃｅ）方式で基板に実装されている。ただし、表面実装方式に限らず、ＬＥＤのベアチップが基板に直接実装されたチップオンボード（ＣＯＢ：Ｃｈｉｐ  Ｏｎ  Ｂｏａｒｄ）方式で実装されていてもよい。
【００２６】
ＬＥＤのベアチップは、例えば、ＩｎＧａＮ系の素子で透光性のサファイア素子基板に発光層が積層され、発光層はｎ型窒化物半導体層とＩｎＧａＮ発光層とｐ型窒化物半導体層とが順次積層されて形成されている。
白色のＬＥＤについては、青色光を発するＬＥＤのベアチップが用いられ、それに塗布された蛍光体で波長変換して白色光を発するようになっている。
【００２７】
ベアチップにおける電極は、ｐ型窒化物半導体層上にｐ型電極パッドで形成されたプラス側電極とｎ型窒化物半導体層上にｎ型電極パッドで形成されたマイナス側電極とで形成されている。これらのプラス電極とマイナス電極は、ボンディングワイヤーにより電気的に接続されている。ボンディングワイヤーは金などの細い線からなっており、実装強度の向上とＬＥＤのベアチップの損傷低減のため金を主成分とするバンプを介して接続されている。
【００２８】
（電源ユニット１０）
全波整流回路１１ａは、ダイオードブリッジ回路である。全波整流回路１１ａの詳細動作については公知であるため説明は省略する。
平滑回路１１ｂは、インダクタＬ１と、スイッチング素子Ｑ１と、ダイオードＤ１と、コンデンサＣ１と、スイッチング素子Ｑ１に流れる電流を検出する抵抗素子Ｒ１とで構成される力率改善型の昇圧チョッパ回路である。
【００２９】
全波整流回路１１ａと平滑回路１１ｂとで直流電源回路１１が構成される。
出力調整回路１２は、インダクタＬ２と、スイッチング素子Ｑ２と、コンデンサＣ２と、ダイオードＤ２と、半導体素子ＩＣ１とで構成される降圧チョッパ回路である。
この降圧チョッパ回路において、スイッチング素子Ｑ２は、入力側のＤＣ電圧をチョッピングするチョッピングスイッチとして働き、オンオフを繰り返すチョッピング動作によってインダクタＬ２に脈流電流を出力する。
【００３０】
スイッチング素子Ｑ１，Ｑ２は、ＦＥＴ（Ｆｉｅｌｄ  Ｅｆｆｅｃｔ  Ｔｒａｎｓｉｓｔｏｒ）である。
スイッチング素子Ｑ２におけるチョッピング動作の動作周波数は、例えば、数十ｋＨｚ〜数百ｋＨｚであって、半導体素子ＩＣ１によって制御される。
コンデンサＣ２は、インダクタＬ２から出力される電流を平滑する。
【００３１】
（半導体素子ＩＣ１及びバースト制御回路１４）
半導体素子ＩＣ１は、スイッチング素子Ｑ２をオンオフするパルス信号を繰り返し発振するパルス発振回路、スイッチング素子Ｑ２に過電流が流れることを抑制する保護回路などを備える。この半導体素子ＩＣ１は、スイッチング素子Ｑ２にパルス信号を発振しながら、出力電流Ｉ１が制御処理部ＩＣ２から指示される出力制御電流目標値ＩＡに合うように、パルス幅を制御することによって、スイッチング素子Ｑ２をＰＷＭ制御する。なお、本実施形態では、出力制御電流目標値ＩＡは一定の値である。
【００３２】
バースト制御回路１４は、この半導体素子ＩＣ１を駆動させるか否かを制御する。すなわち、バースト制御回路１４は、制御処理部ＩＣ２からチョッピング開始・終了のタイミングを指示するタイミング信号を受け、開始信号から終了信号までの間だけ、半導体素子ＩＣ１を駆動させる。
また、チョッピング開始信号から終了信号までの間以外の時間は、半導体素子ＩＣ１の駆動を停止させる。
【００３３】
それによって、チョッピング開始信号から終了信号までの期間は、スイッチング素子Ｑ２はオンオフを繰り返しながらＰＷＭ制御されて、出力電流Ｉ１が出力制御電流目標値ＩＡに合わせられる。
上記半導体素子ＩＣ１による電流制御は、以下のように上記電流検出回路１３からの電圧信号をモニタリングしながらフィードバック制御によって行う。
【００３４】
電流検出回路１３は固定抵抗素子Ｒ２からなり、出力調整回路１２から出力されている電圧値を半導体素子ＩＣ１に入力する。この半導体素子ＩＣ１に入力される電圧値は、現在の出力電流Ｉ１の値に比例するので、半導体素子ＩＣ１は、電流検出回路１３から入力される電圧値から、出力電流Ｉ１の値を検出することができる。
半導体素子ＩＣ１は、検出される出力電流Ｉ１が、制御処理部ＩＣ２から指示される出力制御電流目標値ＩＡに合うように、発振するパルスのパルス幅を調整して、スイッチング素子Ｑ２のＯＮ時間の長さを調整する。すなわち、半導体素子ＩＣ１は、検出される出力電流Ｉ１の値が出力制御電流目標値ＩＡよりも低いときは、発振するパルス幅（スイッチング素子Ｑ２のＯＮ時間）を増加させる。一方検出される出力電流Ｉ１の値が出力制御電流目標値ＩＡよりも高いときは、発振するパルス幅（スイッチング素子Ｑ２のＯＮ時間）を減少させる。それによって、出力電流Ｉ１は、出力制御電流目標値ＩＡに合うようにコントロールされる。
【００３５】
以上のようにして、半導体素子ＩＣ１によるスイッチング素子Ｑ２の制御によって、チョッピング動作中は、電源ユニット１０から光源ユニット１に供給する電力の定電流化もしくは定電力化を実現することができる。
（光源スイッチＱ３，Ｑ４，Ｑ５，Ｑ６及び直列負荷回路３０、４０、５０、６０）
図１に示す各光源スイッチＱ３，Ｑ４，Ｑ５，Ｑ６は、本実施形態においては、ＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）である。ただし、光源スイッチＱ３，Ｑ４，Ｑ５，Ｑ６にバイポーラトランジスタを使用することもできる。
【００３６】
ＬＥＤ群３と光源スイッチＱ３からなる直列回路は、出力調整回路１２の出力端に接続されている。ＬＥＤ群４と光源スイッチＱ４とからなる直列回路、ＬＥＤ群５と光源スイッチＱ５とからなる直列回路、ＬＥＤ群６と光源スイッチＱ６とからなる直列回路も同様に、出力調整回路１２の出力端に接続されている。
光源スイッチＱ３，Ｑ４，Ｑ５，Ｑ６は、制御処理部ＩＣ２からの指示によって択一的にオンされる。そして、電源ユニット１０から出力される電流は、オンされた光源スイッチＱを含む直列負荷回路に選択的に流れるようになっている。
【００３７】
（制御部２０）
制御部２０は、様々な制御処理を実行するマイコンである制御処理部ＩＣ２、テーブルＴ１や各種制御プログラム等が格納されたＲＯＭ（Ｒｅａｄ  Ｏｎｌｙ  Ｍｅｍｏｒｙ）、テーブルＴ１から読み出され、制御処理に利用される各種制御パラメータ値のデータを一時的に記憶するＲＡＭ（Ｒａｎｄｏｍ  Ａｃｃｅｓｓ  Ｍｅｍｏｒｙ）等の揮発性のメインメモリＭＭや、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）等の不揮発性のサブメモリＳＭ、時間を計測するタイマＴＭなどを有する。なお、図１においては、ＲＯＭはテーブルＴ１として表示しており、メインメモリＭＭおよびサブメモリＳＭについては、図示を省略している。タイマＴＭやサブメモリＳＭについては、制御処理部ＩＣ２の機能の一部としてもよい。
【００３８】
制御処理部ＩＣ２は、バースト制御回路１４に、チョッピング動作を開始させる開始信号およびチョッピング動作を終了させる終了信号を送る。また制御処理部ＩＣ２は、光源スイッチＱ３，Ｑ４，Ｑ５，Ｑ６に、オン／オフ信号を送る。
続いて、テーブルＴ１について説明する。テーブルＴ１には、調光調色信号データＶａ（ｎ）と、バースト制御時間データＴＡ（ｎ），ＴＢ（ｎ），ＴＣ（ｎ），ＴＤ（ｎ）および出力制御時間データｔａ（ｎ），ｔｂ（ｎ），ｔｃ（ｎ），ｔｄ（ｎ）とが対応づけられており、制御部２０のＲＯＭに記憶されている。図４は、テーブルＴ１の模式的な一具体例である。
【００３９】
調光調色信号データＶａ（ｎ）は、光源ユニット１から出射させる合成色および光強度の組み合わせに対して付された番号であって、ここでは、０から２５５までの２５６種類の組み合わせが設定されている。
この２５６種類は、ここでは、白色光、赤色光、緑色光、青色光を様々な比率で混合した色度およびこれらそれぞれの様々な光強度の組み合わせであり、ユーザがリモートコントローラ（不図示）等により何れか１つの組み合わせを選択し、照明器具１００へと送信されて入力される。調光調色信号データＶａ（ｎ）のｎは、上記２５６種類のうちユーザにより選択された何れか１つの組み合わせ番号を示す０から２５５の何れか１つの数字である。例えば、１０番目の組み合わせを示す場合は、調光調色信号Ｖａ（１０）のように表される。特定の組み合わせを表さず、総称する場合は、調光調色信号Ｖａ（ｎ）として表示する。
【００４０】
バースト制御時間データＴＡ（ｎ），ＴＢ（ｎ），ＴＣ（ｎ），ＴＤ（ｎ）は、それぞれＬＥＤ群３，４，５，６に対して電力を供給する時間の長さを示すデータである。すなわち光源ユニット１から各番号の色を出射させるために必要なＬＥＤ群３，４，５，６を発光させる時間長を示すデータである。この場合においても、ｎはユーザにより選択された組み合わせ番号を示す数字である。図４に示す具体例においては、例えば、調光調色信号データＶａ（１０）が入力された場合、それに対応するバースト制御時間データＴＡ（１０），ＴＢ（１０），ＴＣ（１０），ＴＤ（１０）は、それぞれ３．０，１．５，１．５，２．０〔ｍｓ〕である。特定の組み合わせを表さず、総称する場合は、バースト制御時間データＴＡ（ｎ）として表す。
【００４１】
また、出力制御時間データｔａ（ｎ），ｔｂ（ｎ），ｔｃ（ｎ），ｔｄ（ｎ）は、それぞれ光源スイッチＱ３，Ｑ４，Ｑ５，Ｑ６のオン期間の長さを示すデータである。この場合においても、ｎはユーザにより選択された組み合わせ番号を示す数字である。図４に示す具体例においては、例えば、調光調色信号データＶａ（１０）が入力された場合、それに対応する出力制御時間データｔａ（１０），ｔｂ（１０），ｔｃ（１０），ｔｄ（１０）は、それぞれ３．５，２．０，２．０，２．５〔ｍｓ〕である。特定の組み合わせを表さず、総称する場合は、出力制御時間データｔａ（ｎ）として表す。
【００４２】
バースト制御時間データＴＡ（ｎ）は、出力制御時間データｔａ（ｎ）よりも短く設定されている。同様に、バースト制御時間データＴＢ（ｎ），ＴＣ（ｎ），ＴＤ（ｎ）は、それぞれ出力制御時間データｔｂ（ｎ），ｔｃ（ｎ），ｔｄ（ｎ）よりも短く設定されている。
この時間長さに関しては、詳しくは後で説明するが、それによって、チョッピング動作を間欠的に行わせる（以下、これを「バースト制御」という）。
【００４３】
バースト制御時間データＴＡ（ｎ）、ＴＢ（ｎ）、ＴＣ（ｎ）、ＴＤ（ｎ）を調整することにより、光源３、４、５、６から出射される光の量をそれぞれ調整し、合成光の調色を行うことができる。
また、出力制御時間データｔａ（ｎ）、ｔｂ（ｎ）、ｔｃ（ｎ）、ｔｄ（ｎ）を調整することにより、調光を行うことができる。これは、わかりやすくするために、例えば、バースト制御時間データＴＡ（ｎ）、ＴＢ（ｎ）、ＴＣ（ｎ）、ＴＤ（ｎ）を固定した状態で出力制御時間データｔａ（ｎ）、ｔｂ（ｎ）、ｔｃ（ｎ）、ｔｄ（ｎ）を可変させる場合について考えてみる。この場合、バースト制御時間データＴＡ（ｎ）、ＴＢ（ｎ）、ＴＣ（ｎ）、ＴＤ（ｎ）は固定なので、光源３、４、５、６それぞれのオン時間は変わらず、それぞれから出射される光の量は変わらない。従って、合成光の色度は変わらない。しかし、出力制御時間データｔａ（ｎ）、ｔｂ（ｎ）、ｔｃ（ｎ）、ｔｄ（ｎ）を可変させると、光源３、４、５、６を所定の順番で切り替えて点灯させる１サイクルにおいて、それぞれの光源がオフされている時間の長さが変わるため、１サイクルにおける合計のオフ時間の長さが変わる。１サイクルにおける合計オフ時間が長くなると、照明器具１００から出射される光の強度は低くなり、合計オフ時間が短くなると、光の強度は高くなる。このように、出力制御時間データｔａ（ｎ）、ｔｂ（ｎ）、ｔｃ（ｎ）、ｔｄ（ｎ）を調整することにより、調光を行うことができる。
【００４４】
（制御処理部ＩＣ２の動作説明）
以下に、調光調色信号データＶａ（ｎ）が入力されるときに制御処理部ＩＣ２がテーブルＴ１を参照しながら行う制御動作について、図２及び図３を参照しながら説明する。図２は、制御処理部ＩＣ２の動作を示すフローチャートである。図３は、図２に示す制御動作における、光源スイッチＱ３，Ｑ４，Ｑ５，Ｑ６それぞれのゲート電圧、スイッチング素子Ｑ２のゲート電圧、電源ユニット１０の出力端における出力電圧Ｖｃ１、および電源ユニット１０から出力される出力電流Ｉ１を示すタイミングチャートである。
【００４５】
照明器具１００に電源が投入されると、図２に示すフローが開始され、初回処理が実行される（ステップＳ１）。ここで、実施形態１における初回処理について、以下に説明する。先ず、制御処理部ＩＣ２は、サブメモリＳＭに記憶されている調光調色信号データＶａ（ｎ）を読み出す。そして、読み出された調光調色信号データＶａ（ｎ）に対応するバースト制御時間データＴＡ（ｎ），ＴＢ（ｎ），ＴＣ（ｎ），ＴＤ（ｎ）および、出力制御時間データｔａ（ｎ），ｔｂ（ｎ），ｔｃ（ｎ），ｔｄ（ｎ）をテーブルＴ１から読み出し、これらのデータをメインメモリＭＭに記憶させる。以上の処理が、実施形態１のフローにおける初回処理である。
【００４６】
ここで、電源投入後に最初にサブメモリＳＭから読み出される調光調色信号データＶａ（ｎ）は、前回使用時に最後にサブメモリＳＭに記憶された調光調色信号データである。即ち、前回使用時にユーザにより最後に選択された調光調色設定である組み合わせ番号を示すデータである。
次に、制御処理部ＩＣ２は、タイマＴＭをリセットしてスタートさせると共に、バースト制御回路１４にチョッピング動作開始を指示する。また、光源スイッチＱ３をオンさせ、光源スイッチＱ４，Ｑ５，Ｑ６をオフさせる（ステップＳ２。図３の時点ｔ１）。ここで、光源スイッチを「オフさせる」という用語は、既にオフの状態である光源スイッチについてオフの状態を維持する場合も含む概念として用いている。以下、各実施形態および各変形例においても同様である。
【００４７】
次に、タイマＴＭの値であるＴｍがＴＡ（ｎ）に達したかどうかを監視する（ステップＳ３）。ここで、ＴＡ（ｎ）は、メインメモリＭＭに記憶されている調光調色信号データＶａ（ｎ）に対応したバースト制御時間データＴＡ（ｎ）である。ここでは、ステップＳ１においてサブメモリＳＭから読み出された調光調色信号データが、具体的に例えば、Ｖａ（１０）であれば、メインメモリＭＭに記憶されたバースト制御時間データはＴＡ（１０）であるので、ステップＳ３でＴＭの判断の対象とされるバースト制御時間データはＴＡ（１０）である。以下、本フローの各ステップにおける各種制御パラメータにおける（ｎ）についても、同様とする。
【００４８】
ＴｍがＴＡ（ｎ）に達したら、制御処理部ＩＣ２は、バースト制御回路１４にチョッピング動作の終了を指示し、スイッチング素子Ｑ２がオフとなる（ステップＳ３：ＹＥＳ、ステップＳ。図３の時点ｔ２）。
続いて、Ｔｍがｔａ（ｎ）に達したかどうかを監視する（ステップＳ５）。Ｔｍがｔａ（ｎ）に達したら、制御処理部ＩＣ２は、タイマＴＭをリセットしてスタートさせると共に、バースト制御回路１４にチョッピング動作開始を指示する。また、光源スイッチＱ４をオンさせ、光源スイッチＱ３，Ｑ５，Ｑ６をオフさせる（ステップＳ５：ＹＥＳ、ステップＳ６。図３の時点ｔ３）。これにより、オンとなる光源スイッチがＱ３からＱ４に切り替えられる。
【００４９】
以上のステップＳ２〜Ｓ５の制御の結果、バースト制御時間データＴＡ（ｎ）に相当する時点ｔ１〜時点ｔ２の間、スイッチング素子Ｑ２が間欠的にオンオフされ、ＬＥＤ群３に出力電流Ｉ１が流れてＬＥＤ群３が点灯され、赤色光が出射される。また、時点ｔ２〜時点ｔ３の期間は、スイッチング素子Ｑ２がオフとなり、出力電流Ｉ１は流れないため、ＬＥＤ群３は点灯されない。
【００５０】
次に、ＴｍがＴＢ（ｎ）に達したかどうかを監視する（ステップＳ７）。ＴｍがＴＢ（ｎ）に達したら、制御処理部ＩＣ２は、バースト制御回路１４にチョッピング動作の終了を指示し、スイッチング素子Ｑ２がオフとなる（ステップＳ７：ＹＥＳ、ステップＳ８。図３の時点ｔ４）。
続いて、Ｔｍがｔｂ（ｎ）に達したかどうかを監視する（ステップＳ９）。Ｔｍがｔｂ（ｎ）に達したら、制御処理部ＩＣ２は、タイマＴＭをリセットしてスタートさせると共に、バースト制御回路１４にチョッピング動作開始を指示する。また、光源スイッチＱ５をオンさせ、光源スイッチＱ３，Ｑ４，Ｑ６をオフさせる（ステップＳ９：ＹＥＳ、ステップＳ１０。図３の時点ｔ５）。これにより、オンとなる光源スイッチがＱ４からＱ５に切り替えられる。
【００５１】
以上のステップＳ６〜Ｓ９の制御の結果、バースト制御時間データＴＢ（ｎ）に相当する時点ｔ３〜時点ｔ４の間、スイッチング素子Ｑ２が間欠的にオンオフされ、ＬＥＤ群４に出力電流Ｉ１が流れてＬＥＤ群４が点灯され、緑色光が出射される。また、時点ｔ４〜時点ｔ５の期間は、スイッチング素子Ｑ２がオフとなり、出力電流Ｉ１は流れないため、ＬＥＤ群４は点灯されない。
【００５２】
次に、ＴｍがＴＣ（ｎ）に達したかどうかを監視する（ステップＳ１１）。ＴｍがＴＣ（ｎ）に達したら、制御処理部ＩＣ２は、バースト制御回路１４にチョッピング動作の終了を指示し、スイッチング素子Ｑ２がオフとなる（ステップＳ１１：ＹＥＳ、ステップＳ１２。図３の時点ｔ６）。
続いて、Ｔｍがｔｃ（ｎ）に達したかどうかを監視する（ステップＳ１３）。Ｔｍがｔｃ（ｎ）に達したら、制御処理部ＩＣ２は、タイマＴＭをリセットしてスタートさせると共に、バースト制御回路１４にチョッピング動作開始を指示する。また、光源スイッチＱ６をオンさせ、光源スイッチＱ３，Ｑ４，Ｑ５をオフさせる（ステップＳ１３：ＹＥＳ、ステップＳ１４。図３の時点ｔ７）。これにより、オンとなる光源スイッチがＱ５からＱ６に切り替えられる。
【００５３】
以上のステップＳ１０〜Ｓ１３の制御の結果、バースト制御時間データＴＣ（ｎ）に相当する時点ｔ５〜時点ｔ６の間、スイッチング素子Ｑ２が間欠的にオンオフされ、ＬＥＤ群５に出力電流Ｉ１が流れてＬＥＤ群５が点灯され、青色光が出射される。また、時点ｔ６〜時点ｔ７の期間は、スイッチング素子Ｑ２がオフとなり、出力電流Ｉ１は流れないため、ＬＥＤ群５は点灯されない。
【００５４】
次に、ＴｍがＴＤ（ｎ）に達したかどうかを監視する（ステップＳ１５）。ＴｍがＴＤ（ｎ）に達したら、制御処理部ＩＣ２は、バースト制御回路１４にチョッピング動作の終了を指示し、スイッチング素子Ｑ２がオフとなる（ステップＳ１５：ＹＥＳ、ステップＳ１６。図３の時点ｔ８）。
続いて、Ｔｍがｔｄ（ｎ）に達したかどうかを監視する（ステップＳ１７）。Ｔｍがｔｄ（ｎ）に達したら、制御処理部ＩＣ２は、新たな調光調色信号データＶａ（ｎ）を取得したかどうか（即ち、ユーザが調光調色設定を変更して、新たな調光調色信号データＶａ（ｎ）がユーザから入力されたかどうか）を判断する（ステップＳ１８）。新たな調光調光調色信号データＶａ（ｎ）を取得していない場合（即ち、ユーザにより調光調色設定が変更されていない場合）は、ステップＳ２に戻って（ステップＳ１８：ＮＯ、ステップＳ２）、以下、ステップＳ２〜ステップＳ１８を繰り返す。なお、ステップＳ１８からステップＳ２に移行すると、オンとなる光源スイッチがＱ６からＱ３に切り替えられる。
【００５５】
以上のステップＳ１４〜Ｓ１８、Ｓ２の制御の結果、バースト制御時間データＴＤ（ｎ）に相当する時点ｔ７〜時点ｔ８の間、ＬＥＤ群６が点灯されて白色光が出射される。また、時点ｔ８〜時点ｔ９の期間は、スイッチング素子Ｑ２がオフとなり、出力電流Ｉ１は流れないため、ＬＥＤ群６は点灯されない。
ステップＳ１８において新たな調光調色信号データＶａ（ｎ）が取得された場合（即ち、ユーザにより調光調色設定が変更された場合）、制御処理部ＩＣ２は、新たに取得された調光調色信号データＶａ（ｎ）をサブメモリＳＭに記憶させる。また、新たに取得された調光調色信号データＶａ（ｎ）に対応したバースト制御時間データＴＡ（ｎ），ＴＢ（ｎ），ＴＣ（ｎ），ＴＤ（ｎ）および、出力制御時間データｔａ（ｎ），ｔｂ（ｎ），ｔｃ（ｎ），ｔｄ（ｎ）をテーブルＴ１から読み出し、読み出したデータをメインメモリＭＭに記憶させる（ステップＳ１８：Ｙｅｓ、ステップＳ１９）。
【００５６】
そして、ステップＳ２に戻って、以下、ステップＳ２からステップＳ１８の処理を繰り返す。
ここで、ステップＳ１８で新たに取得された調光調色信号データが、具体的に例えば、Ｖａ（２０）である場合、ステップＳ１９でサブメモリＳＭに記憶されるのは、調光調色データＶａ（２０）である。そして、メインメモリＭＭに記憶されるのは、バースト制御時間データＴＡ（２０），ＴＢ（２０），ＴＣ（２０），ＴＤ（２０）、および出力制御時間データｔａ（２０），ｔｂ（２０），ｔｃ（２０），ｔｄ（２０）である。従って、ステップＳ１９からステップＳ２に戻った場合、以下ステップＳ２からステップＳ１８の処理において使用されるのは、バースト制御時間データＴＡ（２０），ＴＢ（２０），ＴＣ（２０），ＴＤ（２０）、および出力制御時間データｔａ（２０），ｔｂ（２０），ｔｃ（２０），ｔｄ（２０）である。
【００５７】
以上説明したフローチャートに基づく制御動作によって、各光源スイッチＱ３，Ｑ４，Ｑ５，Ｑ６は択一的にオンされるように切り替えられる。また、ＬＥＤ群３，４，５，６は、（ｔａ（ｎ）＋ｔｂ（ｎ）＋ｔｃ（ｎ）+ｔｄ（ｎ））に相当する時間を１周期として、出力制御時間データＴＡ（ｎ），ＴＢ（ｎ），ＴＣ（ｎ），ＴＤ（ｎ）に相当する長さで順にそれぞれ点灯される動作が繰り返され、赤色、緑色、青色、白色の光がこの比率で混合された混合光として出射される。
【００５８】
従って、１周期の中でＬＥＤ群３，４，５，６が時分割で１回ずつオンされる動作を繰り返すことにより、調光調色信号データＶａ（ｎ）によって指定された発光色および強度の光が出射されることになる。
なお、照明器具１００の製品出荷時には、デフォルトの調光調色信号データＶａ（ｎ）がサブメモリＳＭに記憶されている。初回使用時には、ステップＳ１において、上記デフォルトの調光調色信号データＶａ（ｎ）がサブメモリＳＭから読み出される。そして、読み出されたデフォルトの調光調色信号データＶａ（ｎ）に対応した出力制御時間データＴＡ（ｎ），ＴＢ（ｎ），ＴＣ（ｎ），ＴＤ（ｎ）および出力制御時間データｔａ（ｎ），ｔｂ（ｎ），ｔｃ（ｎ），ｔｄ（ｎ）がテーブルＴ１から読み出されてメインメモリＭＭに記憶される。これらメインメモリＭＭに記憶されたデータは、ステップＳ２からステップＳ１８の制御に用いられる。そしてその後、ユーザにより調光調色の設定入力が行われると、デフォルトの調光調色信号データＶａ（ｎ）に対応した出力制御時間データＴＡ（ｎ），ＴＢ（ｎ），ＴＣ（ｎ），ＴＤ（ｎ）および出力制御時間データｔａ（ｎ），ｔｂ（ｎ），ｔｃ（ｎ），ｔｄ（ｎ）は、新たに入力された設定（新たに取得された調光調色信号データＶａ（ｎ））に対応したデータに上書きされる。以下、各実施形態および各変形例においても同様である。
【００５９】
（バースト制御の効果）
電源スイッチを切り替える際に、電流が流れていると、電源スイッチおよび光源にストレスがかかり、電源スイッチおよび光源の短寿命化の原因となる場合がある。
本実施形態においては、図３に示すように、バースト制御を行っており、各光源スイッチの切り替えが行われる前に、スイッチング素子Ｑ２のチョッピング動作が終了され、チョッピング動作の休止期間が設けられている。そして、チョッピング動作の休止期間中には、スイッチング素子Ｑ２がオフとなっているため、光源ユニット１には、出力電流Ｉ１が流れない。これにより、光源スイッチの切り替えの際の電源スイッチおよび光源への不要なストレスを抑制して、光源スイッチおよび光源の長寿命化に資することができる。
【００６０】
また、バースト制御における、スイッチング素子のオンオフの間隔を調整することにより、出力電流Ｉ１の大きさを容易に調整することができる。
このように３つ以上のＬＥＤ群３，４，５，６を時分割で点灯する方法によれば、１つの直流電源回路１１を用いて各ＬＥＤ群３，４，５，６の明るさを変更することにより容易に調色を行うことが出来る。また、各ＬＥＤ群３，４，５，６に個別に定電流回路を設ける必要がないので、回路の小型化、低コスト化を図ることもできる。
【００６１】
なお、ＬＥＤ群３，４，５，６が時分割で点灯されるので、１周期（ｔａ（ｎ）＋ｔｂ（ｎ）＋ｔｃ（ｎ）＋ｔｄ（ｎ））の長さが長ければ、目視でちらつきが感じられるが、１周期を約１５ｍｓ以下に設定すれば、ちらつきは抑制できる。さらに、１周期が約１０ｍｓ以下であれば、目視によるちらつきをより一層抑制することができる。
また、上記の制御動作においては、図３の動作波形に示されるように、スイッチング素子Ｑ２のチョッピング動作は間欠的に行われ、チョッピング動作どうしの間の休止期間においては、スイッチング素子Ｑ２はオフとなる。
【００６２】
そして、各光源スイッチＱ３，Ｑ４，Ｑ５，Ｑ６が切り替わるタイミングは、チョッピング動作の終了時点よりも後で、本実施形態においては、次のチョッピング動作が始まるときと同時となっている。
（突入電流抑制）
図３に示すように、本実施形態においては、チョッピング動作の休止期間の間に出力調整回路１２の出力端における出力電圧Ｖｃ１はある程度は低下するが、ゼロにはなっていない。出力電圧Ｖｃ１がゼロになるまで休止期間を長くすると、その間は何れの光源も点灯していないので、チラつきがより目立つこととなる虞がある。従って、光源スイッチを切り替える前に出力電圧Ｖｃ１をゼロにするのは困難である。
【００６３】
図５に比較例のタイミングチャートを示す。比較例においては、光源スイッチは、Ｑ１０３、Ｑ１０４、Ｑ１０５、Ｑ１０６の順番で切り替えられる。また、電源スイッチＱ１０３、Ｑ１０４、Ｑ１０５、Ｑ１０６それぞれに接続された光源の電圧降下の大きさは、それぞれＶ１０３、Ｖ１０４、Ｖ１０５、Ｖ１０６であり、Ｖ１０３＜Ｖ１０４＜Ｖ１０５＜Ｖ１０６である。
【００６４】
比較例においても、各光源スイッチの切り替え前にチョッピング動作の休止期間が設けられている。そして、切り替えの繰り返し順番において最後の電源スイッチＱ１０６から繰り返し順番の最初に戻ってＱ１０３へと切り替わるのであるが、このとき、４つの光源スイッチのうちで、電圧降下が最大の光源に接続された光源スイッチから電圧降下が最小の光源に接続された光源スイッチへと切り替わることとなる。電源スイッチＱ１０６からＱ１０３へと切り替わるとき、休止期間の間に出力電圧Ｖｃ１はＶ１０６からＶ１０６ｅへと低下している。しかし、次にオンされる電源スイッチＱ１０３が接続されている光源の電圧降下の大きさＶ３よりもＶ１０６ｅが大きいため、電源スイッチＱ１０３がオンされた瞬間に必要以上の電圧が印加されることとなり、突入電流ＩＮＣが発生することとなる。
【００６５】
一方、図３に示すように、実施形態１に係る照明器具１００では、電源スイッチの繰り返し順番は、Ｑ３、Ｑ４、Ｑ５、Ｑ６の順である。そして、ＬＥＤ群３、４、５、６それぞれの電圧降下の大きさＶ３、Ｖ４、Ｖ５、Ｖ６の関係は、Ｖ３＞Ｖ４＞Ｖ５＞Ｖ６である。即ち、本実施形態では、電源スイッチの切り替え順番において、電圧降下が大きい方から順に光源スイッチを切り替える。これにより、休止期間終了時の出力電圧Ｖｃ１よりも次にオンされる光源スイッチに接続されたＬＥＤ群の電圧降下の方が大きくなり、突入電流が発生しない。
【００６６】
なお、電圧降下は、光源スイッチが接続されている光源（ＬＥＤ群）の電圧降下であり、切り替えられるのは光源スイッチである。しかし、以下、説明の簡略化のために、「電圧降下が大きい（小さい）光源に接続された光源スイッチ」を、「電圧降下が大きい（小さい）光源スイッチ」というように表現する場合がある。
（実施形態１のまとめ）
以上、本発明の一態様である実施形態１に係る点灯装置２および照明器具１００について説明した。点灯装置２および照明器具１００は、次のようにまとめることができる。
【００６７】
実施形態１に係る点灯装置２は、同じ電流が流れたときの電圧降下が互いに異なる３つ以上のＬＥＤ群（光源）３，４，５，６を有する光源ユニット１を点灯させる点灯装置である。点灯装置２は、出力される直流電力を調整する出力調整回路１２と、３つ以上のＬＥＤ群３，４，５，６それぞれに１対１の関係で直列接続されて直列負荷回路３０，４０，５０，６０を形成する３つ以上の光源スイッチＱ３，Ｑ４，Ｑ５，Ｑ６とを有する。直列負荷回路３０，４０，５０，６０の各々は、出力調整回路１２の出力端に並列に接続されている。点灯装置２は、さらに、３つ以上のＬＥＤ群３，４，５，６それぞれに流す電流を制御する制御処理部ＩＣ２を有し、制御処理部ＩＣ２は、以下の制御を行う。制御処理部ＩＣ２は、３つ以上の光源スイッチＱ３，Ｑ４，Ｑ５，Ｑ６のオン期間が互いに重複しないように所定の繰り返し順番に従って３つ以上の光源スイッチＱ３，Ｑ４，Ｑ５，Ｑ６のオンオフを切り替える。前記所定の繰り返し順番において、３つ以上のＬＥＤ群３，４，５，６のうちの前記電圧降下が最大のＬＥＤ群３に接続された光源スイッチＱ３の次にオンされるのは、前記電圧降下が最小のＬＥＤ群６に接続された光源スイッチＱ６以外の光源スイッチである。
【００６８】
また、実施形態１に係る照明器具１００は、同じ電流が流れたときの電圧降下が互いに異なる３つ以上のＬＥＤ群（光源）３，４，５，６と、上記点灯装置２とを有する。
光源スイッチ切り替え前よりも次にオンされる電源スイッチに接続されたＬＥＤ群の電圧降下の方が小さい場合に、最も大きな突入電流が発生しやすいと考えられるのは、光源スイッチ切り替え前後での電圧降下の差が最大となるような組み合わせである。実施形態１の場合、光源スイッチ切り替え前後の電圧降下の差が最大となる組み合わせは、Ｑ３→Ｑ６の組み合わせである。実施形態１に係る点灯装置２および照明器具１００は、上記構成を有することにより、上記切り替え前後での電圧降下の差が最大となる組み合わせ避けることができる。従って、過大な突入電流の発生を抑制して、ＬＥＤ群および光源スイッチへのダメージおよびストレスを軽減し、点灯装置および照明器具の長寿命化を図ることができる。
【００６９】
また、実施形態１に係る点灯装置２では、前記所定の繰り返し順番は、次の通りである。即ち、３つ以上のＬＥＤ群３，４，５，６のうちの電圧降下が最小のＬＥＤ群６に接続された光源スイッチＱ６の次にオンされるのは、（繰り返し順番の最初に戻って）電圧降下が最大のＬＥＤ群３に接続された光源スイッチＱ３である。
これにより、電圧降下が最大のＬＥＤ群３に接続された光源スイッチＱ３の次に、電圧降下が最小のＬＥＤ群６に接続された光源スイッチＱ６がオンされる可能性はゼロである。従って、上記電圧降下の差が最大となる組み合わせ（Ｑ３→Ｑ６）を確実に回避することができ、過大な突入電流の発生を抑制して、光源および光源スイッチへのダメージおよびストレスをより確実に軽減し、照明器具の長寿命化をより確実に図ることができる。
【００７０】
また、実施形態１に係る点灯装置２においては、制御処理部ＩＣ２は、光源スイッチＱ３，Ｑ４，Ｑ５，Ｑ６それぞれのオン期間（ｔａ（ｎ），ｔｂ（ｎ），ｔｃ（ｎ），ｔｄ（ｎ））の長さを調整する。より具体的に言うと、制御処理部ＩＣ２は、ユーザから設定入力された調光調色信号データＶａに対応した出力制御時間データｔａ（ｎ），ｔｂ（ｎ），ｔｃ（ｎ），ｔｄ（ｎ）をテーブルＴ１から読み出す。そして、読み出したデータに基づいて光源スイッチＱ３，Ｑ４，Ｑ５，Ｑ６それぞれのオン期間（ｔａ（ｎ），ｔｂ（ｎ），ｔｃ（ｎ），ｔｄ（ｎ））の長さを調整する。
【００７１】
これにより、ＬＥＤ群３，４，５，６が点灯されないチョッピング動作の休止期間の長さを調整し、光源スイッチ切り替えの繰り返し順番の１周期における上記休止期間の合計の長さを調整して、調光を行うことができる。
また、実施形態１に係る点灯装置２は、直流電源回路１１をさらに有し、出力調整回路１２は、直流電源回路１１の出力端に接続されたスイッチング素子Ｑ２（チョッピングスイッチ）を有する。そして、制御処理部ＩＣ２は、スイッチング素子Ｑ２を繰り返しオンオフするチョッピング動作によって出力調整回路１２から出力される出力電流Ｉ１を調整する。
【００７２】
これにより、ＬＥＤ群３，４，５，６の発光強度を調節して調光を行うことができる。また、チョッピング動作のオンオフの間隔を変えることにより、出力電流Ｉ１の大きさの微調整を容易に行うことができるので、細かな調光を用意に行うことができる。
また、実施形態１に係る点灯装置２においては、制御処理部ＩＣ２は、光源スイッチＱ３，Ｑ４，Ｑ５，Ｑ６それぞれのオン期間におけるチョッピング動作の動作期間の長さを調整する。
【００７３】
これにより、ＬＥＤ群３，４，５，６それぞれの点灯期間の長さを調整して、混合光として出射される光源ユニットからの光の調色を行うことができる。
ここで、光源スイッチの切り替え後の電圧降下が切り替え前の電圧降下よりも小さい場合のチョッピング動作の休止期間を第１の期間とする。実施形態１に係る点灯装置２における制御処理部ＩＣ２は、第１の期間、スイッチング素子Ｑ２をオフしてチョッピング動作を休止させ、切り替えと共にスイッチング素子Ｑ２に対してチョッピング動作を再開させる。制御処理部ＩＣ２は、光源スイッチの繰り返し順番において、切り替え後の光源スイッチが接続されているＬＥＤ群の電圧降下が、切り替え前の光源スイッチに接続されているＬＥＤ群の電圧降下よりも小さくなる切り替えに先立って、上記の制御を行う。
【００７４】
これにより、少なくとも、切り替え前よりも切り替え後の方が電圧降下が小さくなる切り替えの前に、チョッピング動作の休止期間が設けられるため、当該休止期間中に出力電圧Ｖｃ１を低下させて、切り替え後の電圧降下の値よりも小さくすることができる。従って、突入電流の発生を抑制してＬＥＤ群や光源スイッチが受けるダメージやストレスを軽減し、点灯装置および照明器具の長寿命化を図ることができる。
【００７５】
また、実施形態１に係る点灯装置２においては、電圧降下が互いに異なる３つ以上の光源（ＬＥＤ群３，４，５，６）は、発光色が互いに異なる。
これにより、各光源の発光量を調整することにより、混合光として出射される光の調色を行うことができる。
実施形態１に係る照明器具１００は、同じ電流が流れたときの電圧降下が互いに異なる３つ以上のＬＥＤ群（光源）３，４，５，６と、上記何れかの特徴を備えた点灯装置２とを有する。
【００７６】
このような照明器具１００によっても、上記と同様の効果を得ることが可能である。
≪実施形態２≫
図６は、実施形態２に係る照明器具における制御動作を説明するためのタイミングチャートである。具体的には、電源ユニット１０の出力端における出力電圧Ｖｃ１、電源ユニット１０から出力される出力電流Ｉ１、スイッチング素子Ｑ２のゲート電圧、および光源スイッチＱ３，Ｑ４，Ｑ５それぞれのゲート電圧を示すタイミングチャートである。なお、説明の重複を避けるため、実施の形態１と同じ構成要素については、同符号を付して、その説明を省略する。以下、各実施形態および各変形例においても、同様である。
【００７７】
実施形態２に係る照明器具は、構成部品や回路の構成、テーブルに収容されているパラメータ値等の基本的な構成については、実施形態１に係る照明器具１００と同じである。実施形態１に係る照明器具１００と異なっているのは、図６に示すように、電源スイッチ切り替えの繰り返し順番が、Ｑ３→Ｑ５→Ｑ４→Ｑ６の順になっている点のみである。
実施形態２では、電源スイッチ切り替えの繰り返し順番は、Ｑ３（電圧降下最大）の次がＱ５（電圧降下が２番目に小さい）になっている。この場合においても、電源スイッチ切り替えの前後における電圧降下の差が、Ｑ３の次がＱ６（電圧降下最小）である場合よりも小さく、その場合よりも突入電流を抑制することができる。従って、ＬＥＤや光源スイッチが受けるダメージおよびストレスを軽減して、点灯装置および照明器具の長寿命化を図ることができる。
【００７８】
≪実施形態３≫
図７は、実施形態３に係る照明器具における制御動作を説明するためのタイミングチャートである。具体的には、電源ユニット１０の出力端における出力電圧Ｖｃ１、電源ユニット１０から出力される出力電流Ｉ１、スイッチング素子Ｑ２のゲート電圧、および光源スイッチＱ３，Ｑ４，Ｑ５それぞれのゲート電圧を示すタイミングチャートである。実施形態３に係る照明器具は、構成部品や回路の構成、テーブルに収容されているパラメータ値等の基本的な構成については、実施形態１に係る照明器具１００と同じである。実施形態１に係る照明器具１００と異なっているのは、図７に示すように、電源スイッチ切り替えの繰り返し順番が、Ｑ３→Ｑ４→Ｑ６→Ｑ５の順になっている点のみである。
【００７９】
実施形態３では、電源スイッチ切り替えの繰り返し順番は、Ｑ４（電圧降下が２番目に大きい）の次がＱ６（電圧降下最小）となっている。この場合においても、電源スイッチ切り替えの前後における電圧降下の差が、Ｑ３（電圧降下最大）の次がＱ６（電圧降下最小）である場合よりも小さく、その場合よりも突入電流を抑制することができる。従って、ＬＥＤや光源スイッチが受けるダメージおよびストレスを軽減して、点灯装置および照明器具の長寿命化を図ることができる。
【００８０】
≪実施形態４≫
図８は、実施形態４に係る照明器具における制御動作を説明するためのタイミングチャートである。具体的には、電源ユニット１０の出力端における出力電圧Ｖｃ１、電源ユニット１０から出力される出力電流Ｉ１、スイッチング素子Ｑ２のゲート電圧、および光源スイッチＱ３，Ｑ４，Ｑ５それぞれのゲート電圧を示すタイミングチャートである。実施形態４に係る照明器具は、構成部品や回路の構成、テーブルに収容されているパラメータ値等の基本的な構成については、実施形態１に係る照明器具１００と同じである。実施形態１に係る照明器具１００と異なっているのは、図８に示すように、電源スイッチ切り替えの繰り返し順番が、Ｑ３→Ｑ５→Ｑ６→Ｑ４の順になっている点のみである。
【００８１】
実施形態４では、電源スイッチ切り替えの繰り返し順番は、Ｑ３（電圧降下最大）の次がＱ５（電圧降下が２番目に小さい）となっている。この場合においても、電源スイッチ切り替えの前後における電圧降下の差が、Ｑ３（電圧降下最大）の次がＱ６（電圧降下最小）である場合よりも小さく、その場合よりも突入電流を抑制することができる。従って、ＬＥＤや光源スイッチが受けるダメージおよびストレスを軽減して、点灯装置および照明器具の長寿命化を図ることができる。
【００８２】
≪変形例≫
以上、本発明を実施形態に基づいて説明してきたが、本発明は上記実施の形態に限定されないのは勿論であり、以下のような変形例を実施することができる。
（変形例１）
図９は、変形例１に係る照明器具２００の回路図である。照明器具２００は、制御部２２０が有するテーブルＴ２が実施の形態１に係る照明器具１００におけるテーブルＴ１と異なっている点以外は、基本的な構成は照明器具１００と同じである。テーブルＴ２においては、バースト制御時間データＴＡ（ｎ），ＴＢ（ｎ），ＴＣ（ｎ），ＴＤ（ｎ）は、固定値であり、それぞれ、ＴＡｓ，ＴＢｓ，ＴＣｓ，ＴＤｓである。
【００８３】
図１０に、テーブルＴ２の模式的な一具体例を示す。図１０に示すテーブルＴ２の一例においては、例えば、制御処理部ＩＣ２が受信した調光調色信号データＶａ（ｎ）が、Ｖａ（１０）である場合、出力制御時間データｔａ（１０），ｔｂ（１０），ｔｃ（１０），ｔｄ（１０）は、それぞれ、３．３ｍｓ，２．０ｍｓ，２．７ｍｓ，２．５ｍｓである。バースト制御時間データＴＡ（１０），ＴＢ（１０），ＴＣ（１０），ＴＤ（１０）は、それぞれ、２．０ｍｓ（ＴＡｓ），１．５ｍｓ（ＴＢｓ），１．５ｍｓ（ＴＣｓ），２．５ｍｓ（ＴＤｓ）である。
【００８４】
テーブルＴ２においては、バースト制御時間データＴＡ（ｎ）、ＴＢ（ｎ）、ＴＣ（ｎ）、ＴＤ（ｎ）は、固定であり、調光調色信号データＶａ（ｎ）に係らず、ＴＡ（ｎ）＝ＴＡｓ、ＴＢ（ｎ）＝ＴＢｓ、ＴＣ（ｎ）＝ＴＣｓ、ＴＤ（ｎ）＝ＴＤｓである。これは即ち、光源スイッチの切り替えの繰り返し順番の１周期において、ＬＥＤ群３，４，５，６それぞれが点灯される時間は固定であるため、混合される各色光の光量の比率は固定である。従って、照明器具２００は、調色を行うことができない。しかし、出力制御時間データｔａ（ｎ），ｔｂ（ｎ），ｔｃ（ｎ），ｔｄ（ｎ）を調整することにより、繰り返し順番の１周期における各ＬＥＤ群のオフ期間の長さを調整して、調光を行うことができる。このようにバースト制御時間データをそれぞれ固定値とすることにより、制御が簡単になるというメリットがあり、照明器具２００は、出射光の色味は固定でよいが、明るさのみを調整したい場合に利用することができる。
【００８５】
また、照明器具２００から光源ユニット１を除いた構成が変形例１に係る点灯装置２０２である。点灯装置２０２によっても、上記と同様の効果を得ることができる。
（変形例２）
図１１は、変形例２に係る照明器具３００の構成を示す回路図である。照明器具３００においては、出力調整回路１２の出力端に、直列負荷回路３０，４０，５０，６０と並列にインピーダンス素子である抵抗素子Ｒ３が接続されている。即ち、照明器具３００の点灯装置３０２は、抵抗素子Ｒ３を有している。照明器具３００は、この点において実施形態１に係る照明器具１００と異なっていること以外は、基本的な構成は照明器具１００と同じである。
【００８６】
照明器具３００は、抵抗素子Ｒ３を有していることにより、スイッチング素子Ｑ２のチョッピング動作休止期間において、抵抗素子Ｒ３を介して放電し、次のチョッピング動作再開までに出力電圧ｖｃ１をより低下させることができる。これにより、突入電流の発生をより確実に防止することができる。
なお、放電のためのインピーダンス素子は、抵抗素子Ｒ３に限られず、例えば、コイルとコンデンサからなるＬＣでもよい。
【００８７】
また、照明器具３００から光源ユニット１を除いた構成が変形例２に係る点灯装置３０２である。点灯装置３０２によっても、上記と同様の効果を得ることができる。
まとめると、変形例２に係る点灯装置３０２および照明器具３００は、出力調整回路１２の出力端に、直列負荷回路３０，４０，５０，６０と並列に抵抗素子（インピーダンス素子）Ｒ３が接続されている。
【００８８】
これにより、突入電流の発生をより確実に防止して、ＬＥＤおよび光源スイッチが受けるストレスやダメージをより確実に軽減し、点灯装置および照明器具の長寿命化をより確実にすることができる。
（変形例３）
上記各実施形態および各変形例（以下、「実施形態等」という。）においては、バースト制御時間データおよび出力制御時間データを調整する（異なるデータ値をテーブルから読み出して制御に用いる）ことにより、ＬＥＤ群３，４，５，６から出射される光量が調整され、見かけ上の明るさが調整される。上記各実施形態および各変形例の構成では、見かけ上の明るさをより一層暗くしたい場合、繰り返し順番の１周期における各ＬＥＤ群のオフ期間（点灯されない期間）をより一層長くしなければならない。しかしながら、各ＬＥＤ群のオフ期間があまり長くなると、チラつきが目立つようになってしまう。また、スイッチング素子Ｑ２をオンする間隔をより一層広くして（即ち、オフ期間を長くして）、出力電流Ｉ１を低減する方法も考えられる。しかしながら、この場合においても、スイッチング素子Ｑ２のオフ期間があまり長くなると、チラつきが目立つようになってしまう。
【００８９】
そこで、変形例３においては、各ＬＥＤ群のオフ期間およびスイッチング素子Ｑ２のオフ期間を長くせずに、出力電流Ｉ１を低減させて光量を低下させ、明るさをより一層低減させる方法について説明する。なお、変形例３に係る照明器具の回路構成は、図１に示す実施形態１に係る照明器具１００の回路構成と同じである。
図１２は、変形例３における出力制御電流目標値ＩＡの大きさによって、光源ユニット１に流れる電流が調整される様子を示す図である。図１２（ａ）は、出力制御電流目標値ＩＡの値がＡ０のときの、出力調整回路１２からの出力電流Ｉ１、インダクタＬ２の脈流電流ＩＬ２、およびスイッチング素子Ｑ２のオンオフを示すタイミングチャートである。図１２（ｂ）は、出力制御電流目標値ＩＡの値がＡ０よりも小さいＡ１のときの、出力調整回路１２からの出力電流Ｉ１、インダクタＬ２の脈流電流ＩＬ２、およびスイッチング素子Ｑ２のオンオフを示すタイミングチャートである。
【００９０】
半導体素子ＩＣ１は、出力電流Ｉ１が電流目標値である出力制御電流目標値ＩＡに合うように、スイッチング素子Ｑ２をオンオフする各パルスのＯＮ幅（Ｔon）を増減させる（即ち、パルスの周波数を増減させる）。
すなわち、出力電流Ｉ１をモニタリングして、出力電流Ｉ１が出力制御電流目標値ＩＡより小さいときは、パルスのＯＮ幅（Ｔon）を増加させる。一方、出力電流Ｉ１が出力制御電流目標値ＩＡより大きいときは、パルスのＯＮ幅（Ｔon）を減少させる。従って、これを利用すれば、パルスのＯＮ幅を減少させれば、出力電流Ｉ１を低減させることができる。
【００９１】
図１２（ａ）に示すように、パルスのＯＮ幅がＴｏｎ（Ａ）の場合には、ＩＬ２の山が大きく、出力電流Ｉ１は、Ａ０となる。図１２（ｂ）に示すように、パルスのＯＮ幅を、Ｔｏｎ（Ａ）よりも小さいＴｏｎ（ａ）にすると、ＩＬ２の山が小さくなり、出力電流Ｉ１は、Ａ０よりも小さいＡ１になる。
上記の方法を用いれば、スイッチング素子Ｑ２をオンオフさせるパルスの周波数を増加させることにより、出力電流Ｉ１を低減し、チラつきを目立たせることなく、光源ユニットからの出射光の光量を低減させることができる。
【００９２】
なお、本変形例の方法は、出射光の光量を低減する場合に限られず、増加および低減のいずれの調整にも有効である。さらには、チラつきが目立たない範囲であっても、本変形例の方法を用いて明るさの調整を行ってもよい。
また、本変形例の構成は、照明器具から光源ユニットを除いた点灯装置としても実施することができる。この場合においても、上記と同様の効果を得ることができる。
【００９３】
（変形例４）
上記実施形態等においては、光源にＬＥＤを用いているが、これに限らない。例えば、光源としては、有機ＥＬ（Ｅｌｅｃｔｒｏ  Ｌｕｍｉｎｅｓｃｅｎｃｅ）素子、ＬＤ（レーザダイオード；Ｌａｓｅｒ  Ｄｉｏｄｅ）等の半導体発光素子を用いることできる。
また、上記実施形態等では、４種類の発光色の異なるＬＥＤ群を用いているが、これに限られず、３種類以上であればよい。３種類以上であれば、電圧降下が最大のものと最小のものの間に、その中間の電圧降下のものを入れることができるので、突入電流を抑制することができる。また、３種類以上であれば、色度図において曲線状にＬＥＤの混合光を調色することができる。色度図において曲線状に調色できれば、例えば、電球色から昼白色まで黒体軌跡及びＣＩＥ昼光に沿うように調色する製品などに有用である。
【００９４】
さらに、上記実施形態等では、全部の光源（ＬＥＤ群）において、互いに発光色が異なる。しかしながら、電圧降下の大きさが３種類以上であれば、一部のＬＥＤ群において、互いに発光色が同じであってもよい。
上記実施形態等では、ＬＥＤ群の発光色をＲ（赤）、Ｇ（緑）、Ｂ（青）、Ｗ（白）としている。しかしながら、これに限られず、他の発光色（例えば黄色）のＬＥＤ群や、紫外線を発するＬＥＤ群を用いてもよい。また、例えば、色温度が異なる白色光を発する３つ以上のＬＥＤ群を用いてもよい。
【００９５】
（変形例５）
上記実施形態等においては、光源スイッチの切り替えの際には、毎回切り替えに先立ってスイッチング素子Ｑ２のチョッピング動作が休止されるが、これに限られない。切り替え後の電圧降下が切り替え前の電圧降下よりも大きい場合には、突入電流が発生しないので、切り替えに先立ってチョッピング動作を休止させなくてもよい。
【００９６】
上記構成は、光源ユニットを備えた照明器具としても、光源ユニットを備えない点灯装置としても実施可能であり、何れの場合にでも、同様の効果が得られる。
まとめると、変形例５に係る点灯装置および照明器具において、制御処理部ＩＣ２は、次の制御を行う。即ち、光源スイッチ切り替えの繰り返し順番において、切り替え後の光源スイッチが接続されているＬＥＤ群の電圧降下が、切り替え前の光源スイッチが接続されているＬＥＤ群の電圧降下よりも大きくなる切り替えに先立って、チョッピング動作を休止させない。
【００９７】
これにより、光源スイッチ切り替えの繰り返し順番における１周期の長さを短くして、チラつきをより低減させることができる。
（変形例６）
上記変形例５においては、光源スイッチの切り替え後の電圧降下が切り替え前の電圧降下よりも大きい場合には、突入電流が発生しないので、切り替えに先立ってチョッピング動作を休止させなくてもよいとした。しかし、光源スイッチを切り替える際に、電流が流れているとＬＥＤや光源スイッチにストレスがかかるため、その場合においても、光源スイッチの切り替えに先立ってチョッピング動作を休止させた方がよい。
【００９８】
しかし、この場合には、次にオンされる光源スイッチが接続されているＬＥＤ群の電圧降下よりも低い電圧になるまで休止させる必要が無い。従って、光源スイッチの切り替え後の電圧降下が切り替え前の電圧降下よりも大きい場合のチョッピング動作の休止期間の長さは、光源スイッチの切り替え後の電圧降下が切り替え前の電圧降下よりも小さい場合のチョッピング動作の休止期間の長さよりも短くてもよい。
【００９９】
上記構成は、光源ユニットを備えた照明器具としても、光源ユニットを備えない点灯装置としても実施可能であり、何れの場合にでも、同様の効果が得られる。
即ち、光源スイッチの切り替え後の電圧降下が切り替え前の電圧降下よりも大きい場合のチョッピング動作の休止期間を第２の期間とすると、次のように言い換えることができる。
【０１００】
変形例６に係る点灯装置および照明器具において、制御処理部ＩＣ２は、第１の期間よりも短い第２の期間、チョッピング動作を休止させる。制御処理部ＩＣ２は、光源スイッチ切り替えの繰り返し順番において、切り替え後の光源スイッチが接続されているＬＥＤ群の電圧降下が、切り替え前の光源スイッチに接続されているＬＥＤ群の電圧降下よりも大きくなる切り替えに先立って、上記制御を行う。そして、切り替えと共にスイッチング素子Ｑ２に対してチョッピング動作を再開させる。
【０１０１】
また、変形例６に係る照明器具は、同じ電流が流れたときの電圧降下が互いに異なる３つ以上のＬＥＤ群（光源）３，４，５，６と、上記の特徴を備えた点灯装置とを有する。
これにより、光源スイッチ切り替えの繰り返し順番における１周期の長さを短くして、チラつきをより低減させることができる。
（変形例７）
上記実施形態等においては、平滑回路として昇圧チョッパ回路が用いられているが、これに限られず、例えば、平滑コンデンサを単体で用いてもよい。また、出力調整回路として降圧チョッパ回路が用いられているが、これに限られず、例えば、フライバック回路のような他のＤＣ−ＤＣコンバータ等を用いてもよい。
【０１０２】
（変形例８）
上記実施形態等では、光源スイッチとして、ＭＯＳＦＥＴを用いているが、バイポーラトランジスタ等の他のスイッチング素子も用いてもよい。
（変形例９）
上記実施形態等に係る照明器具および点灯装置の構成によると、直流電源回路の部品異常または回路異常時において、特別な動作をさらに制御回路で行うことができる。例えば、直流電源回路におけるスイッチング素子が異常発熱する場合を想定して、制御回路に発熱を検知するセンサを備えておく。そして、制御回路は、直流電源回路におけるスイッチング素子の異常発熱を検知した際に、３つ以上の光源のうち全部と直流電源回路とを非接続とする。これにより、各光源への過剰な電流出力による各光源の破壊を抑制できる。
【０１０３】
（変形例１０）
上記実施形態等に係る照明器具および点灯装置においては、スイッチング素子Ｑ２にチョッピング動作を実行させていたが、これに限られない。スイッチング素子Ｑ２がチョッピング動作を行わず、例えば、実施形態１に係る照明器具１００および点灯装置２の構成に適用した場合を例に説明すると、バースト制御時間データＴＡ（ｎ），ＴＢ（ｎ），ＴＣ（ｎ），ＴＤ（ｎ）の期間は、チョッピング動作を行わずにスイッチング素子Ｑ２を連続的にオンさせてもよい。
【０１０４】
本変形例の構成によっても、上記実施形態等と同様の効果が得られる。
（変形例１１）
またさらには、光源スイッチの切り替えに先立ってスイッチング素子Ｑ２がオフされず、オンのままであってもよい。この場合、光源スイッチ切り替えの際には電流が流れているため、光源スイッチやＬＥＤに多少のストレスがかかる。しかしながら、電圧降下が最大の光源スイッチの次に最小の光源スイッチがオンされることがないので、過大な突入電流の発生は抑制され、過大な突入電流から光源スイッチやＬＥＤが受けるストレス、ダメージを軽減することができる。
【０１０５】
≪照明器具の適用例≫
図１３に、上記実施形態等に係る照明器具の具体的な適用例を示す。図１３（ａ）は、上記実施形態等に係る照明器具がダウンライトに適用された場合の一例を示す外観斜視図である。図１３（ｂ）は、上記実施形態等に係る照明器具がスポットライトに適用された場合の一例を示す外観斜視図である。図１３（ｃ）は、上記実施形態等に係る照明器具がスポットライトに適用された場合の別の一例を示す外観斜視図である。ここでは、代表例として実施形態１に係る照明器具１００の具体的な適用例を示すが、上記各実施形態および各変形例に係る照明器具の何れが適用されてもよい。
【０１０６】
図１３（ａ）、（ｂ）、（ｃ）に示す照明器具１００ａ、１００ｂ、１００ｃにおける点灯装置２ａ、２ｂ、２ｃは、図１に示す点灯装置２の回路が金属や樹脂等から成るケース内に収容されており、ケースの外観が異なっている以外は、基本的には同じである。
図１３（ａ）、（ｂ）、（ｃ）に示す灯体７ａ、７ｂ、７ｃは、光源ユニット１、光源ユニット１が装着される基台、光源ユニット１から出射された光を所望の方向に反射させる反射部材、光源ユニットを外部から保護するためのカバー等から構成されている。
【０１０７】
なお、図１３（ａ）、（ｂ）、（ｃ）においては、反射部材およびカバーに隠れて光源ユニット１および基台は見えていない。
図１３（ａ）、（ｃ）に示す配線８は、光源ユニット１と点灯装置２との間の電気的接続を行うためのものである。図１３（ｂ）においては、配線８は、点灯装置２ｂ（のケース）および灯体７ｂ内部に収容されており、外部からは見えない。
【０１０８】
≪補足≫
以上説明した実施形態および変形例は、いずれも本発明の好ましい一具体例を示すものである。実施形態で示される数値、形状、材料、構成要素、構成要素の配置位置及び接続形態、工程、工程の順序などは一例であり、本発明を限定する主旨ではない。また、実施形態における構成要素のうち、本発明の最上位概念を示す独立請求項に記載されていない構成要素については、より好ましい形態を構成する任意の構成要素として説明される。
【０１０９】
また、発明を理解しやすく説明するために、上記各実施形態で挙げた各図の構成要素の縮尺は実際のものと異なる場合がある。上記示した各図は模式図であり、必ずしも厳密に図示したものではない。
本発明は上記各実施形態の記載によって限定されるものではなく、本発明の要旨を逸脱しない範囲において適宜変更可能である。例えば、実施形態１および２に係る照明器具の部分的な構成および上記各変形例に係る構成を、適宜組み合わせてなる照明器具であっても良い。
【符号の説明】
【０１１０】
２  点灯装置
２ａ  点灯装置
２ｂ  点灯装置
２ｃ  点灯装置
３  ＬＥＤ群（光源）
４  ＬＥＤ群（光源）
５  ＬＥＤ群（光源）
６  ＬＥＤ群（光源）
１１  直流電源回路
１２  出力調整回路
３０  直列負荷回路
４０  直列負荷回路
５０  直列負荷回路
６０  直列負荷回路
１００  照明器具
１００ａ  照明器具
１００ｂ  照明器具
１００ｃ  照明器具
２００  照明器具
２０２  点灯装置
２２０  制御部
３００  照明器具
３０２  点灯装置
ＩＣ２  制御処理部
Ｑ２  スイッチング素子（チョッピングスイッチ）
Ｑ３  光源スイッチ
Ｑ４  光源スイッチ
Ｑ５  光源スイッチ
Ｑ６  光源スイッチ
Ｒ３  抵抗素子（インピーダンス素子）
【図１】
2015103504.tif 000003
【図２】
2015103504.tif 000004
【図３】
2015103504.tif 000005
【図４】
2015103504.tif 000006
【図５】
2015103504.tif 000007
【図６】
2015103504.tif 000008
【図７】
2015103504.tif 000009
【図８】
2015103504.tif 000010
【図９】
2015103504.tif 000011
【図１０】
2015103504.tif 000012
【図１１】
2015103504.tif 000013
【図１２】
2015103504.tif 000014
【図１３】
2015103504.tif 000015